(57)【要約】【課題】歯科・口腔外科等における処置の大幅な操作性の向上をはかり、患者の鼻孔部に潰瘍を引き起こすことのない経鼻気管内チューブコネクタを提供する。【解決手段】少なくとも、患者の気管に挿入されるチューブに接続可能な気管挿入管側の開口部を有する気管挿入管側導通部と、治療用ガス供給源に接続可能なガス供給源側の開口部を有するガス供給源側導通部と、から鋭角状の屈曲部を構成する導通管からなる。【選択図】図４
2007216005.tif 000002
【特許請求の範囲】
【請求項１】
少なくとも、
患者の気管に挿入されるチューブに接続可能な気管挿入管側の開口部を有する気管挿入管側導通部と、
治療用ガス供給源に接続可能なガス供給源側の開口部を有するガス供給源側導通部と、
から鋭角状の屈曲部を構成する導通管からなることを特徴とする経鼻気管内チューブコネクタ。
【請求項２】
前記経鼻気管内チューブコネクタが、
前記気管挿入管側の開口部の中心部を開口部中心Ａ、
前記ガス供給源側の開口部２の中心部を開口部中心Ｂ、
前記開口部中心Ａと前記開口部中心Ｂとを結んだ線を直線ＡＢ、
前記導通管の中心を通る線を曲線Ｌ、
前記直線ＡＢに対して平行で、且つ曲線Ｌと最も遠方で当接する線を直線ＣＤ、
前記直線ＣＤと前記曲線Ｌとの当接部を接点Ｔ、
前記開口部中心Ｂと前記接点Ｔとを結んだ線を線ＢＴ、
前記開口部中心Ａから前記線ＢＴに垂線を下ろし、当接する点を点Ｈ、
前記接点Ｔと前記点Ｈとを結んだ線を線ＴＨ、
前記開口部中心Ａと前記点Ｈとを結んだ線を線ＡＨ、
とした際に、
前記線ＴＨの長さが０〜３５ｍｍ、且つ前記線ＡＨの長さが５〜５０ｍｍの範囲内であることを特徴とする請求項１に記載の経鼻気管内チューブコネクタ。
【請求項３】
前記経鼻気管内チューブコネクタが、
前記気管挿入管側の開口部の中心部を開口部中心Ａ、
前記ガス供給源側の開口部２の中心部を開口部中心Ｂ、
前記開口部中心Ａと前記開口部中心Ｂとを結んだ線を直線ＡＢ、
前記導通管の中心を通る線を曲線Ｌ、
前記直線ＡＢに対して平行で、且つ曲線Ｌと最も遠方で当接する線を直線ＣＤ、
前記直線ＣＤと前記曲線Ｌとの当接部を接点Ｔ、
前記開口部中心Ｂと前記接点Ｔとを結んだ線を線ＢＴ、
前記開口部中心Ａから前記線ＢＴに垂線を下ろし、当接する点を点Ｈ、
前記接点Ｔと前記点Ｈとを結んだ線を線ＴＨ、
前記開口部中心Ａと前記点Ｈとを結んだ線を線ＡＨ、
とした際に、
前記線ＴＨと前記線ＡＨの長さの比率（ＴＨ／ＡＨ）が３〜０．０８の範囲内であることを特徴とする請求項１に記載の経鼻気管内チューブコネクタ。
【請求項４】
前記経鼻気管内チューブコネクタが、
吸引カテーテルを挿入できる挿入口を有することを特徴とする請求項１から３のいずれかに記載の経鼻気管内チューブコネクタ。
【請求項５】
前記気管挿入管側の開口部および／または前記ガス供給源側の開口部は、
テーパ状の形状を有することを特徴とする請求項１から４のいずれかに記載の経鼻気管内チューブコネクタ。
【請求項６】
前記気管挿入管側の開口部および／または前記ガス供給源側の開口部は、
屈曲変形可能な蛇腹構造であることを特徴とする請求項１から５のいずれかに記載の経鼻気管内チューブコネクタ。
【請求項７】
請求項１から６のいずれかに記載の経鼻気管内チューブコネクタが、
歯科・口腔外科治療の際に用いられる経鼻気管内チューブコネクタであることを特徴とする歯科用経鼻気管内チューブコネクタ。
【発明の詳細な説明】
【技術分野】
【０００１】
本発明は、例えば口腔外科手術時等の麻酔処置に使用される経鼻気管内チューブコネクタに関する。さらに詳しくは、気管内チューブに接続する開口部と人工呼吸器等のガス供給装置に接続する開口部を有し、さらに吸引カテーテルを挿入できる挿入口を有する経鼻気管内チューブコネクタに関する。
【背景技術】
【０００２】
患者に呼吸ガスを供給するための呼吸マスクにおいて、全顔面マスク、鼻と口を覆うマスク、鼻マスクなど様々な形態のマスクが公知である。
一般に呼吸マスクは、持続的気道陽圧法（ＣＰＡＰ）による治療や２つの圧力レベルを用いる治療状況において、肺疾患に苦しむ人に酸素もしくは酸素と空気の混合気を供給する為、手術前の段階における麻酔ガスを供給する為、睡眠時無呼吸症候群（OSA：OBSTRUCTIVE SLEEP APNEA）のような呼吸障害に苦しむ人に圧縮空気を供給する為など多種多様の目的で利用されている。
【０００３】
ところで、このような呼吸マスクには、呼吸マスクと呼吸ガスを送る装置とを接続する気管内チューブコネクタ１００が設けられている。
気管内チューブコネクタ１００は図６に示したように、呼吸マスク（図示せず）の内部と流体的に連通した状態で接続するためのマスク側端部１０２と、呼吸ガス供給導管（図示せず）の出口と流体的に連通した状態で接続するための供給導管側端部１０４とを有し、呼吸ガスのガス流出換気通路１０６が、マスク側端部１０２と供給導管側端部１０４とが実質的に垂直（Ｌ字形）となるようになっている（特許文献１（特表２００３−５０２１１６号公報）参照）。
【０００４】
このような気管内チューブコネクタ１００は、円滑に呼吸ガスなどを気道に送り込むことを考慮した設計になっているため、その形状が呼吸マスクの仕様に合わせた作りになっている。
【０００５】
一方、口腔外科治療を行う場合には、口を覆う呼吸マスクは当然使用できないため、酸素の供給は鼻孔部を介して体内に送り込まれることとなる。
このような鼻孔部からの酸素の供給は、鼻孔部に気管内チューブを差し込み、この気管内チューブとＬ字形の気管内チューブコネクタ（以下、アングルピースとする）の一方側とをスリップジョイントを介して連結し、さらにアングルピースの他方側とガス供給装置のチューブとを接続することにより、行われるようになっている。
【０００６】
しかしながら、このように鼻孔部から酸素の供給を行って口腔外科治療を行う場合、アングルピースが障害となる場合がある。
即ち、アングルピースは鼻や口に装着する呼吸マスクに呼吸ガスを送ることのみを考慮したコネクタ形状（Ｌ字形状）となっているため、ポート部もしくはポートに接続したチューブが歯科治療の妨げになる場合がある。
【０００７】
また、アングルピースは、口から気管内チューブが挿入される経口気管内送管用のアングルピースを流用して用いられることが多く、この場合にも歯科治療を行うには、形態が大きすぎるという問題が生じている。
【０００８】
このため、アングルピースを使用せず、内部に銅線やらせん状コイルを入れたスパイラルチューブを用い、酸素の供給を行う方法が採られている。
【特許文献１】特表２００３−５０２１１６号公報
【発明の開示】
【発明が解決しようとする課題】
【０００９】
しかしながら、このようなスパイラルチューブを用いた方法は、口腔外科治療の際の障害となることを抜本的に解決するには至っておらず、またスパイラルチューブの内層樹脂部が剥離してしまうというトラブルも報告されている。
【００１０】
さらに、アングルピースの２つのポートのなす角度が９０度、いわゆるＬ字形であるため呼吸装置に接続する際にアングルピースが呼吸装置の方向に引っ張られてしまうことがある。
【００１１】
このため患者の鼻孔部が圧迫され、潰瘍を引き起こす問題も呈していた。
本発明は、このような現状に鑑み、歯科処置の大幅な操作性の向上をはかり、患者の鼻孔部に潰瘍を引き起こすことのない経鼻気管内チューブコネクタを提供することを目的とする。
【００１２】
さらに本発明は、口腔内治療の弊害となるポート部の取り付け角度、位置、大きさを改善し、また痰の除去時に使用する吸引カテーテルを簡単に気管内チューブ内に挿入することができ、さらに経鼻気管内チューブコネクタ内部の清掃ができるサニタリー性も考慮された挿入口を備えた経鼻気管内チューブコネクタを提供することを目的とする。
【課題を解決するための手段】
【００１３】
本発明は、前述したような従来技術における課題および目的を達成するために発明されたものであって、
本発明の経鼻気管内チューブコネクタは、
少なくとも、
患者の気管に挿入されるチューブに接続可能な気管挿入管側の開口部を有する気管挿入管側導通部と、
治療用ガス供給源に接続可能なガス供給源側の開口部を有するガス供給源側導通部と、
から鋭角状の屈曲部を構成する導通管からなることを特徴とする。
【００１４】
このように構成することによって、チューブが歯科治療の際に邪魔になることがなくなるとともに、導通管の気管挿入管側導通部が患者の鼻孔部の向きと同じような角度で設けられているため、患者の鼻孔部におけるコネクタの圧迫により生ずる潰瘍を軽減することができる。
【００１５】
本発明の経鼻気管内チューブコネクタは、
前記経鼻気管内チューブコネクタが、
前記気管挿入管側の開口部の中心部を開口部中心Ａ、
前記ガス供給源側の開口部２の中心部を開口部中心Ｂ、
前記開口部中心Ａと前記開口部中心Ｂとを結んだ線を直線ＡＢ、
前記導通管の中心を通る線を曲線Ｌ、
前記直線ＡＢに対して平行で、且つ曲線Ｌと最も遠方で当接する線を直線ＣＤ、
前記直線ＣＤと前記曲線Ｌとの当接部を接点Ｔ、
前記開口部中心Ｂと前記接点Ｔとを結んだ線を線ＢＴ、
前記開口部中心Ａから前記線ＢＴに垂線を下ろし、当接する点を点Ｈ、
前記接点Ｔと前記点Ｈとを結んだ線を線ＴＨ、
前記開口部中心Ａと前記点Ｈとを結んだ線を線ＡＨ、
とした際に、
前記線ＴＨの長さが０〜３５ｍｍ、且つ前記線ＡＨの長さが５〜５０ｍｍの範囲内であることを特徴とする。
【００１６】
このような範囲内となるように、各部を構成することによって、チューブが歯科治療の際に邪魔になることがなくなるとともに、導通管の気管挿入管側導通部が患者の鼻孔部の向きと同じような角度で設けられているため、患者の鼻孔部におけるコネクタの圧迫により生ずる潰瘍を軽減することができる。
【００１７】
本発明の経鼻気管内チューブコネクタは、
前記経鼻気管内チューブコネクタが、
前記気管挿入管側の開口部の中心部を開口部中心Ａ、
前記ガス供給源側の開口部２の中心部を開口部中心Ｂ、
前記開口部中心Ａと前記開口部中心Ｂとを結んだ線を直線ＡＢ、
前記導通管の中心を通る線を曲線Ｌ、
前記直線ＡＢに対して平行で、且つ曲線Ｌと最も遠方で当接する線を直線ＣＤ、
前記直線ＣＤと前記曲線Ｌとの当接部を接点Ｔ、
前記開口部中心Ｂと前記接点Ｔとを結んだ線を線ＢＴ、
前記開口部中心Ａから前記線ＢＴに垂線を下ろし、当接する点を点Ｈ、
前記接点Ｔと前記点Ｈとを結んだ線を線ＴＨ、
前記開口部中心Ａと前記点Ｈとを結んだ線を線ＡＨ、
とした際に、
前記線ＴＨと前記線ＡＨの長さの比率（ＴＨ／ＡＨ）が３〜０．０８の範囲内であることを特徴とする。
【００１８】
このような範囲内となるように、各部を構成することによって、チューブが歯科治療の際に邪魔になることがなくなるとともに、導通管の気管挿入管側導通部が患者の鼻孔部の向きと同じような角度で設けられているため、患者の鼻孔部におけるコネクタの圧迫により生ずる潰瘍を軽減することができる。
【００１９】
以上の通り、本発明において、鋭角状の屈曲部を構成するとは、具体的には、
線ＴＨの長さが０〜３５ｍｍ、且つ線ＡＨの長さが５〜５０ｍｍの範囲内であること、および／または、
線ＴＨと線ＡＨの長さの比率（ＴＨ／ＡＨ）が３〜０．０８の範囲内であること等の定義にて例示される性質である。
【００２０】
本発明の経鼻気管内チューブコネクタは、
前記経鼻気管内チューブコネクタが、
吸引カテーテルを挿入できる挿入口を有することを特徴とする。
【００２１】
このように構成することによって、患者の痰の除去時に吸引カテーテルを簡単に気管内チューブ内に挿入することができ、さらにコネクタ内部の清掃も良好である。
本発明の経鼻気管内チューブコネクタは、
前記気管挿入管側の開口部および／または前記ガス供給源側の開口部付近は、
テーパ状の形状を有することを特徴とする。
【００２２】
このように構成することによって、患者の気管に挿入されるチューブや、治療用ガス供給源と接続されるチューブを挿入し易くすることができる。
本発明の経鼻気管内チューブコネクタは、
前記気管挿入管側の開口部および／または前記ガス供給源側の開口部付近は、
屈曲変形可能な蛇腹構造であることを特徴とする。
【００２３】
このように構成することによって、患者の気管に挿入されるチューブや、治療用ガス供給源と接続されるチューブの抜け落ちを防止することができる。
さらに、気管挿入管側の開口部および／またはガス供給源側の開口部付近のみが蛇腹構造であるため、チューブの挿入を容易にしたり、角度の微調整を行うことができる。さらに、気管挿入管側導通部とガス供給源側導通部の蛇腹構造以外の箇所は、鋭角状の屈曲部を維持したままであるため、歯科治療中にチューブが邪魔になることがない。
【００２４】
また、本発明の歯科用経鼻気管内チューブコネクタは、
上記のいずれかに記載の経鼻気管内チューブコネクタが、
歯科・口腔外科治療の際に用いられることを特徴とする。
【００２５】
このように、経鼻気管内チューブコネクタを歯科治療の際に用いれば、特に口内を治療する際にも、チューブが邪魔になることがない。
【発明の効果】
【００２６】
本発明の経鼻気管内チューブコネクタによれば、歯科処置の操作性を向上させるとともに、患者の鼻孔部における経鼻気管内チューブコネクタの圧迫により生ずる潰瘍を軽減することができる。
【００２７】
また挿入口を備えることにより、痰の除去時に吸引カテーテルを簡単に気管内チューブ内に挿入することができ、さらに経鼻気管内チューブコネクタ内部の清掃も良好である。
【発明を実施するための最良の形態】
【００２８】
以下、本発明の実施の形態（実施例）を図面に基づいてより詳細に説明する。
なお、本発明は、これら実施例に何ら限定されるものではない。
図１は本発明の経鼻気管内チューブコネクタの幾何学的特徴を説明する為の側面図である。
【００２９】
図１に示したように、本発明の経鼻気管内チューブコネクタ１０は、経鼻気管内チューブコネクタ１０の一方側に患者の気管に挿入されるチューブ（図示せず）に接続可能な気管挿入管側の開口部１２を有する。
【００３０】
気管挿入管側の開口部１２は、気管内チューブを接続固定する気管挿入管側導通部１６の先端に設けられた開口である。
典型的には１つの略円形の形状を有するものであるが、特に限定されるものではなく、必要に応じて、扁平な楕円形やその他の多角形であっても良く、あるいはその辺縁部が２次元平面に収まらない３次元的な曲線である場合であっても良い。また、開口は２つ以上存在しているか、仕切りを有していても良い。
【００３１】
気管挿入管側の開口部１２の直径は、好ましくは、０．３〜１．５ｃｍである。
また、経鼻気管内チューブコネクタ１０の他方側には、治療用ガス供給源に接続可能なガス供給源側の開口部１４を有する。
【００３２】
ガス供給源側の開口部１４は、治療用ガス供給源を接続固定するガス供給源側導通部１８の先端に設けられた開口である。
ガス供給源側の開口部１４は、気管挿入管側の開口部１２と同様、典型的には１つの略円形の形状を有するものであるが、特に限定されるものではなく、必要に応じて、扁平な楕円形やその他の多角形であっても良く、あるいはその辺縁部が２次元平面に収まらない３次元的な曲線である場合であっても良い。また、開口は２つ以上存在しているか、仕切
りを有していても良い。
【００３３】
ガス供給源側の開口部１４の直径は、好ましくは、０．５〜３．０ｃｍである。
気管挿入管側の開口部１２とガス供給源側の開口部１４は、経鼻気管内チューブコネクタ１０内を貫通し、屈曲部を有する治療用ガスが導通可能な導通管２２ａにて連絡されている。
【００３４】
導通管２２ａは図１において便宜的に、気管挿入管側導通部１６、ガス供給源側導通部１８、屈曲導通部２０に分けて標記しているが、本質的にはこれらは連続した形状である。
【００３５】
次に、本発明を特徴づけるパラメータの基礎を成す、幾何学的諸要素について図1に基
づいて説明する。
気管挿入管側の開口部１２の気管挿入管側の開口部中心Ａは、開口部外縁内径部の描く形状の重心点に相当するものである。
【００３６】
同様にガス供給源側の開口部１４のガス供給源側の開口部中心Ｂは、開口部内径部の描く形状の重心点に相当するものである。
なお、この場合、重心点とは、通常、
Ｑ｜minΣiDst(ＰiＱ)
｛Ｐi                  ：（曲線）図形の各点(i=1,2....)、
Dst(ＰiＱ) ：ＰiとＱの間の距離、
Σi                  ：ｉについて総和する演算操作、
Ｑ｜minΣiDst(ＰiＱ)  ：ΣiDst(ＰiＱ)が最小となる時のＱ｝
である点Ｑであると考えて良い。
【００３７】
また計算を簡便にする為、上記の式において、距離に換えて距離の２乗を用いても良い。
ここで幾何学的基準を設定する為に、まず気管挿入管側の開口部中心Ａとガス供給源側の開口部中心Ｂとを結ぶ直線ＡＢを引く。また、屈曲部を有し治療用ガスが導通可能な導通管２２ａの中心を通る曲線を曲線Ｌとして定義する。
【００３８】
導通管２２ａにて規定される曲線Ｌは、通常、導通管２２ａの中心線であると考えて良い。あるいは導通管２２ａの各断面の重心点を結んだ曲線と考えても良い。なお、曲線というのは直線の折れ線も含まれるものである。
【００３９】
このようにして直線ＡＢと曲線Ｌが定義される。
また、直線ＡＢに対して平行で且つ最も遠方にあり、曲線Ｌと当接する直線ＣＤを定義し、曲線Ｌと直線ＣＤの接点Ｔを設定する。なお、曲線Ｌが、図１に示したように折れ線であったり、複数の屈曲点を有する曲線である場合には、複数の接点Ｔが存在することが有り得る。その場合には、複数の接点Ｔのうち、両最端の２点の中点をもって接点Ｔとすればよい。
【００４０】
次に、開口部中心Ａから線ＢＴに垂線を下ろし、その交点を交点Ｈとする。
なお、線ＢＴと言うように「線」と表現し、直線、曲線、あるいはこれらの複合線と限定して表現しない理由は、直線や曲線のいずれの場合も有り得るからである。以下、他の「線」についても同様である。
【００４１】
この線ＢＴへの垂線の交点Ｈが存在するということは、線ＢＴに垂線を下ろしたとき、線ＢＨ＜線ＢＴで有ることである。さらに好ましくは線ＴＨ＜線ＢＴである。
また、線ＢＴが曲線である場合、適切な垂線を一義的に設定できないことが有り得るが、その様な場合には、開口部中心Ａと線ＢＴとの間の最短線ＡＨを垂線ＡＨと定義すればよい。
【００４２】
このようにして、本発明を特徴づけるパラメータの基礎を成す、幾何学的諸要素について定義される。
さらに本発明のコネクタにおいては、線ＴＨの長さが０〜３５ｍｍの範囲内であり、線ＡＨの長さが５〜５０ｍｍの範囲内であることを必要とする。
【００４３】
線ＴＨの長さは、好ましくは１〜３０ｍｍ、より好ましくは３〜２５ｍｍ、線ＡＨの長さは、好ましくは１０〜４０ｍｍ、より好ましくは１５〜３５ｍｍの範囲内である。
線ＴＨの長さが上記の数値範囲の下限値を下回ると、鼻孔部におけるコネクタの圧迫が発現することとなる。
【００４４】
一方、線ＴＨの長さが上限値を上回ると開口部１２、１４が近接しすぎて鼻孔部に設置し難くなり、何れも好ましくない。
また、線ＡＨの長さが上記の数値範囲の下限値を下回ると開口部１２の先端を鼻孔部に設置し難くなる。
【００４５】
一方、線ＡＨの長さが上限値を上回ると経鼻気管内チューブコネクタ１０が鼻孔部前面に突出し歯科治療の妨げとなり、何れも好ましくない。
なお、線ＢＴの長さは、好ましくは２０〜７０ｍｍ、より好ましくは３０〜６０ｍｍの範囲内である。
【００４６】
線ＢＴの長さが上記の数値範囲の下限値を下回るとガス供給装置（図示せず）のホース類への接続が難しくなる。
一方、線ＢＴの長さが上限値を上回ると同様にガス供給装置（図示せず）のホース類への接続が難しくなり、何れも好ましくない。
【００４７】
また、本発明の別の態様においては、線ＴＨと線ＡＨの長さの比率（ＴＨ／ＡＨ）は３〜０．０８、好ましくは３〜０．２、より好ましくは２．５〜０．３、特に好ましくは２〜０．４の範囲である。
比率（ＴＨ／ＡＨ）が上記の数値範囲の下限値を下回ると患者の鼻孔部が圧迫されることとなる。
【００４８】
一方、比率（ＴＨ／ＡＨ）が上限値を上回ると吸引カテーテル（図示せず）を挿入することが困難となり、何れも好ましくない。
また、本発明の経鼻気管内チューブコネクタ１０は、図２に示したように、導通管２２ｂが気管挿入管側導通管２４とガス供給源側導通管２６の２本より構成されていても良い。
【００４９】
さらに経鼻気管内チューブコネクタ１０は図３に示したように、１つの滑らかな曲線を有する導通管２２ｃより構成されていても良い。
また図示しないが、３つを越える本数の直線よりなる構成、複数の曲線よりなる構成、あるいは、直線や曲線の組合せよりなる構成であっても良い。
【００５０】
次に、本発明の経鼻気管内チューブコネクタの好適な具体例について、図４に基づいて説明する。
図４に示した経鼻気管内チューブコネクタ１０は、気管挿入管側導通部１６とガス供給源側導通部１８の間の屈曲導通部２０付近に、吸引カテーテルを挿入できる挿入口２８が
設けられている。
【００５１】
これにより、経鼻気管内チューブコネクタ１０内部の清掃が容易であるとともに、患者の痰などの除去の際、挿入口２８を介して吸引ホースを簡単に差し込むことができる。
気管内チューブを接続固定する気管挿入管側導通部１６は、その外径は種々のチューブに接続できるように先端部分にテーパ状部３０を有することが好ましい。
【００５２】
また、一度チューブに差し込まれたら抜け難い構造となっていることが好ましく、例えば外径部に１つ以上の輪状の凹凸や、蛇頭状の返しなどを設けても良い。
あるいは、自在な屈曲変形できるように蛇腹部３２などの可撓性を有する構造になっていることがより好ましい。
【００５３】
また、治療用ガス供給源（図示せず）は、通常、チューブ形状の連絡手段にて、治療用ガス供給源（図示せず）を接続固定するガス供給源側導通部１８と連絡されるので、ガス供給源側導通部１８も気管挿入管側導通部１６と同様にテーパ状部３４を有することが好ましい。
【００５４】
さらに、ガス供給源側導通部１８のテーパ状部３４にもチューブの抜け防止のため、蛇腹部（図示せず）を設けても良いことは当然である。
次に、本発明の経鼻気管内チューブコネクタの他の好適な具体例について、図５に基づいて説明する。なお、図５において、図５（ａ）は正面図、図５（ｂ）は側面図、図５（ｃ）は平面図、図５（ｄ）は図５（ａ）および図５（ｂ）のａ−ａ’線からｂ−ｂ’線の区間の断面図である。
【００５５】
図５（ａ）〜図５（ｃ）に示した経鼻気管内チューブコネクタ１０は、導通管の中心を通る曲線が３次元的曲線である場合のものである。
このような経鼻気管内チューブコネクタ１０は、導通管の中心を通る曲線が３次元的曲線であり、図４に示した経鼻気管内チューブコネクタ１０のガス供給源側導通部１８を図４の図面平面に対して５０度の角度となるように、図面平面の裏面側へ曲げた様な形状を有する。この角度については、好ましくは０〜８０度であり、より好ましくは３０〜６０度である。
【００５６】
このような数値範囲の下限値以上であることにより、ガス供給源側導通部１８が鼻の正面に配置されることを避け、鼻の側面に逃がすことができる。
このように、導通管の中心を通る曲線が３次元的曲線であれば、鼻を圧迫することが防止できるので好ましく、上限値以下であることにより、口腔外科処理の妨げとならないようにガス管を配置でき好ましい。
【００５７】
あるいは、図５（ａ）〜図５（ｃ）に示した図形に限定されないより抽象的な観点から言えば、導通管の中心を通る曲線を変形させないように、互いに平行な２平面で挟んだ際に、最低限必要な２平面の間隔としては好ましくは５〜３０ｍｍ、より好ましくは１０〜２０ｍｍである。
【００５８】
なお、ガス供給源側導通部１８が接続している気管挿入管側導通部１６への導通路内開口部４０に垂直な直線上に置いて、気管挿入管側導通部中心線との交点Ｍとガス供給源側導通部１８の外表面部との交点Ｎの間隔ＭＮである張り出し長さは、好ましくは４〜４０ｍｍ、より好ましくは８〜３０ｍｍである。
【００５９】
このような数値範囲内であれば、本発明の経鼻気管内チューブコネクタ１０は、鼻周辺の人体形状に対して、安定かつ低負担でフィットすることとなる。
また、上記のように導通管の中心を通る曲線を３次元的曲線に保持させる形態としては、恒久的固定形態に限定される必要はなく、可変的形態も何ら差し支えない。
【００６０】
即ち、気管挿入管側導通部１６とガス供給源側導通部１８の接合部、またはその周辺
部を回転および／または屈曲可能な構造にすることにより、患者の鼻の個別的形態に対応して調整できるものである。
かかる可変形態としては、蛇腹部構造などの可撓性を有する屈曲自在構造であっても良いし、図５（ｄ）に示したように、外径と内径が密着可能に寸法設計された、好ましくはテーパを有する２円筒が、間に気密性を高めるためのＯリング４１を介して差し込み接合された、回転自在な差し込み接続構造であっても良い。
図５（ａ）〜図５（ｃ）には、後者の例を適用した場合の態様についても併記している。
【００６１】
即ち、本具体例の経鼻気管内チューブコネクタ１０は、恒久的固定形態にて３次元的曲線形状の経路を有する経鼻気管内チューブコネクタ１０を専ら説明するためのものであるが、回転自在な差し込み接続構造を設ける場合における、その設置位置と具体的構造についても図示したものである。
以上、本発明の好ましい実施の態様を説明してきたが、本発明はこれらに限定されることはない。
【００６２】
例えば、挿入口２８の位置を、気管挿入管側導通部１６の側面に設けても良く、また挿入口２８を複数設けることも可能である。
さらに本発明の経鼻気管内チューブコネクタは、上記のように歯科・口腔外科治療の際に用いられるだけでなく、例えば顎顔面外科・耳鼻咽喉科など鼻から気管内チューブを挿入する必要のある如何なる場合においても使用でき、本発明の目的を逸脱しない範囲で種々の変更や機能追加が可能なものである。
【図面の簡単な説明】
【００６３】
【図１】図１は、本発明の経鼻気管内チューブコネクタの幾何学的概要を説明するモデルである。
【図２】図２は、導通管が２本の直線よりなる本発明の経鼻気管内チューブコネクタの一態様例である。
【図３】図３は、導通管が１本の曲線よりなる本発明の経鼻気管内チューブコネクタの一態様例である。
【図４】図４は、挿入口を有する本発明の経鼻気管内チューブコネクタの一態様例である。
【図５】図５は、挿入口を有する本発明の経鼻気管内チューブコネクタの他の態様例であり、図５（ａ）は正面図、図５（ｂ）は側面図、図５（ｃ）は平面図、図５（ｄ）は図５（ａ）および図５（ｂ）のａ−ａ’線からｂ−ｂ’線の区間の断面図である。
【図６】図６は、従来の気管内チューブコネクタの概略図である。
【符号の説明】
【００６４】
１０・・・経鼻気管内チューブコネクタ
１２・・・開口部
１４・・・開口部
１６・・・気管挿入管側導通部
１８・・・ガス供給源側導通部
２０・・・屈曲導通部
２２ａ・・導通管
２２ｂ・・導通管
２２ｃ・・導通管
２４・・・気管挿入管側導通管
２６・・・ガス供給源側導通管
２８・・・挿入口
３０・・・テーパ状部
３２・・・蛇腹部
３４・・・テーパ状部
４０・・・導通路内開口部
４１・・・Ｏリング
Ａ・・・気管挿入管側の開口部中心
Ｂ・・・ガス供給源側の開口部中心
ＡＢ・・・開口部中心Ａと開口部中心Ｂとを結んだ直線
Ｌ・・・導通管の中心を通る曲線
ＣＤ・・・直線ＡＢに対して平行で、且つ曲線Ｌと最も遠方で当接する直線
Ｔ・・・直線ＣＤと曲線Ｌとの接点
ＢＴ・・・開口部中心Ｂと接点Ｔとを結んだ線
Ｈ・・・開口部中心から線ＢＴに垂線を下ろし、当接する点
ＴＨ・・・接点Ｔと点Ｈとを結んだ線
ＡＨ・・・開口部中心Ａと点Ｈとを結んだ線
１００・・・気管内チューブコネクタ
１０２・・・マスク側端部
１０４・・・供給導管側端部
１０６・・・ガス流出換気通路
【図１】
2007216005.tif 000003
【図２】
2007216005.tif 000004
【図３】
2007216005.tif 000005
【図４】
2007216005.tif 000006
【図５】
2007216005.tif 000007
【図６】
2007216005.tif 000008